(57)【要約】【課題】少ないダクトの敷設で、外気導入用の送風機を使用することなく十分な換気量を確保することができ、かつ、設置条件や、室内空気温度や外気温度に応じたダンパー制御ができる空気調和機を提供すること。【解決手段】室内機１０１の空気吸込み側に、外気導入量を調整する外気用ダンパー１０８を備えた外気導入口１０５と、室内空気吸込み抵抗を調整する室内空気吸込み用ダンパー１０７を備えた室内空気吸込み口１０６と、外気用ダンパー１０８と室内空気吸込み用ダンパー１０７を駆動するダンパー駆動装置１１４と、ダンパー駆動装置１１４を制御する制御基板１１５を備えた。【選択図】図１
2006242492.tif 000002
【特許請求の範囲】
【請求項１】
熱交換器と送風機とを備えた室内機と、前記室内機の空気吸込み側に、外気導入量を調整する外気用ダンパーを備えた外気導入口と、室内空気吸込み抵抗を調整する室内空気吸込み用ダンパーを備えた室内空気吸込み口と、前記外気用ダンパーと前記室内空気吸込み用ダンパーを駆動するダンパー駆動装置と、前記ダンパー駆動装置を制御する制御基板を備え、前記外気用ダンパーと前記室内空気吸込み用ダンパーの開度を前記制御基板で設定することを特徴とした空気調和機。
【請求項２】
リモコンと、制御基板を備え、外気用ダンパーと室内空気吸込み用ダンパーの開度を前記リモコンで設定することを特徴とした、請求項1に記載の空気調和機。
【請求項３】
送風機のＯＮ、ＯＦＦ状態を検出できる制御基板を備え、前期送風機がＯＦＦの時には外気用ダンパーを閉じることを特徴とした、請求項１〜２のいずれかに記載の空気調和機。
【請求項４】
送風機の送風量を検出できる制御基板を備え、送風量に応じて外気用ダンパーと室内空気吸込み用ダンパーの開度を補正することを特徴とした、請求項１〜３のいずれかに記載の空気調和機。
【請求項５】
室内機の冷房、暖房、送風等の運転モードを検出できる制御基板を備え、運転モードに応じて外気用ダンパーと室内空気吸込み用ダンパーの開度を補正することを特徴とした、請求項１〜４のいずれかに記載の空気調和機。
【請求項６】
室内機のサーモＯＮ、ＯＦＦ状態を検出できる制御基板を備え、前記室内機のサーモＯＮ、ＯＦＦに応じて外気用ダンパーと室内空気吸込み用ダンパーの開度を補正することを特徴とした、請求項１〜５のいずれかに記載の空気調和機。
【請求項７】
リモコンと、室内空気温度センサーと、制御基板を備え、室内機の設定温度と室内空気温度の差に応じて外気用ダンパーと室内空気吸込み用ダンパーの開度を補正することを特徴とした、請求項１〜６のいずれかに記載の空気調和機。
【請求項８】
室内空気温度センサーと、外気温度センサーと、制御基板を備え、室内空気温度と外気温度の差に応じて外気用ダンパーと室内空気吸込み用ダンパーの開度を補正することを特徴とした、請求項１〜７のいずれかに記載の空気調和機。
【発明の詳細な説明】
【技術分野】
【０００１】
本発明は、冷房や暖房などの空調を行うと同時に、外気導入を行うことのできる空気調和機に関するものである。そして、主に天井埋め込み型あるいはダクト型の空気調和機に対して特に有効なものである。
【背景技術】
【０００２】
従来、空気調和機に外気導入機能を付与する構成は数多くあり、とりわけ単に外気導入用のダクトを吸込み部に接続する構成や、外気導入用の送風機を使用する構成が多い。
【０００３】
しかし、単に外気導入用のダクトを吸込み部に接続するだけでは、十分な換気量を確保することが困難であり、外気導入用の送風機を使用する場合は、そのために部品や電気工事が必要となり設置費用が増える。
【０００４】
十分な換気量を確保し、外気導入用の送風機を使用しない装置としては、以下に示すような室外設置型ダクト式空気調和装置がある（例えば、特許文献１参照）。
【０００５】
この室外設置型ダクト式空気調和装置は、ダクトにより室外に設置した空気調和機と室内を連結して空調を行うことにより、外気取り入れの換気とダクトによる多室の空調が行えるようにするものである。
【０００６】
図７は、特許文献１に記載された、従来の空気調和機の断面図である。
【０００７】
同図に示すように、熱源側部２２０の上に、前側面より吸入ダクト２２３を連設し、シロッコファン２２９を流体要素とする利用側部２２１を設置し、その最上部に、前側面または天面より吹出ダクト２２４を連設する風胴箱２２２を設け、さらに吸入ダクト２２３に、扉２４１を設けている。
【０００８】
ここで、熱源側部２２０には、熱源側熱交換器２２５およびプロペラファン２２６が、利用側部２２１には利用側熱交換器２２８が配備されている。
【０００９】
そして、壁２３０、天井面２３２、床２３３によって部屋が構成されている。
【００１０】
吸入ダクト２２３は、天井面２３２の吸入口２３１から利用側部２２１までを連結し、吹出ダクト２２４は風胴部２２２の前側面から天井面２３２の吹出口２３５までを連結している。
【００１１】
外気取入れ装置２３４はサ−ボモ−タ２４０で駆動し、ダクト２２３内に設置した、二酸化炭素、温度及び湿度センサ−部２３９からの信号によって扉２４１の開閉角度を制御し、外気取入れ換気量を調整する。
【００１２】
室内の空気は吸入ダクト２２３を通過し、外気取入れ装置２３４付近では静圧が下がっているので、扉２４１を開くだけで十分な外気導入量を得ることができる。
【特許文献１】特開昭６０−１３８３４６号公報
【発明の開示】
【発明が解決しようとする課題】
【００１３】
しかしながら、特許文献１に記載の従来の装置においては、その名称の通り室外設置型
ダクト式空気調和装置にのみ適応可能な技術であり、室内吸込みから室外の装置までと、室外の装置から室内吹出しまでの、長距離にわたるダクトの敷設が必要であった。
【００１４】
また、利用側の装置を天井裏設置する場合には、単に外気導入用のダクトを吸込み部に接続するだけの構成と同様となり、十分な換気量を確保することが困難であるという課題があった。
【００１５】
本発明は、前記従来の課題を解決するもので、少ないダクトの敷設で、外気導入用の送風機を使用することなく十分な換気量を確保することができ、かつ、設置条件や、室内空気温度や外気温度に応じたダンパー制御ができる空気調和機を提供することを目的とする。
【課題を解決するための手段】
【００１６】
前記従来の課題を解決するために、本発明の空気調和機は、室内機の空気吸込み側に、外気導入量を調整する外気用ダンパーを備えた外気導入口と、室内空気吸込み抵抗を調整する室内空気吸込み用ダンパーを備えた室内空気吸込み口と、外気用ダンパーと室内空気吸込み用ダンパーを駆動するダンパー駆動装置と、ダンパー駆動装置を制御する制御基板を備えたものである。
【００１７】
これによって、外気導入用の送風機を使用することなく十分な換気量を確保することができ、かつ、設置条件や、室内空気温度や外気温度に応じたダンパー制御ができる。
【発明の効果】
【００１８】
本発明の空気調和機は、外気導入用の送風機を使用することなく十分な換気量を確保することができ、かつ、設置条件や、室内空気温度や外気温度に応じたダンパー制御ができるので、省施工で、適量の外気導入量を確保でき、換気による熱ロスを減らし、効率の良い空気調和と外気導入を行うことができる。
【発明を実施するための最良の形態】
【００１９】
第１の発明は、室内機の空気吸込み側に、外気導入量を調整する外気用ダンパーを備えた外気導入口と、室内空気吸込み抵抗を調整する室内空気吸込み用ダンパーを備えた室内空気吸込み口と、外気用ダンパーと室内空気吸込み用ダンパーを駆動するダンパー駆動装置と、ダンパー駆動装置を制御する制御基板を備え、外気用ダンパーと室内空気吸込み用ダンパーの開度を制御基板で設定することを特徴としたものである。
【００２０】
これにより、外気導入用の送風機を使用することなく十分な換気量を確保することができ、かつ、現地の外気導入用ダクトの空気抵抗損失に合わせて、ダンパーの開度を制御基板上で設定できる。
【００２１】
第２の発明は、特に第１の発明において、リモコンと、制御基板を備え、外気用ダンパーと室内空気吸込み用ダンパーの開度をリモコンでも設定することを特徴としたものである。これにより、現地の外気導入用ダクトの空気抵抗損失に合わせて、ダンパーの開度をリモコン上でも設定できる。
【００２２】
第３の発明は、特に第１〜２にいずれか１つの発明において、送風機のＯＮ、ＯＦＦ状態を検出できる制御基板を備え、送風機がＯＦＦの時には外気用ダンパーを閉じることを特徴としたものである。これにより、送風機がＯＦＦの時に、外気の侵入が防げる。
【００２３】
第４の発明は、特に第１〜３のいずれか１つの発明において、送風機の送風量を検出できる制御基板を備え、送風量に応じて外気用ダンパーと室内空気吸込み用ダンパーの開度
を補正することを特徴としたものである。これにより、例えば強風に合わせてダンパーの開度を設定した場合、中風や弱風になっても送風量に応じてダンパーの開度を補正できる。
【００２４】
第５の発明は、特に第１〜４のいずれか１つの発明において、室内機の冷房、暖房、送風等の運転モードを検出できる制御基板を備え、運転モードに応じて外気用ダンパーと室内空気吸込み用ダンパーの開度を補正することを特徴としたものである。
【００２５】
これにより、例えば冷房に合わせてダンパーの開度を設定した場合、圧縮機が運転していない送風時には外気用ダンパーを閉じ、室内と室外の温度差が大きい暖房時には外気導入量を設定より減らすといった補正ができる。
【００２６】
第６の発明は、特に第１〜５のいずれか１つの発明において、室内機のサーモＯＮ、ＯＦＦ状態を検出できる制御基板を備え、室内機のサーモＯＮ、ＯＦＦに応じて外気用ダンパーと室内空気吸込み用ダンパーの開度を補正することを特徴としたものである。これにより、例えば室内機がサーモＯＦＦの場合には、外気導入量を設定より減らすといった補正ができる。
【００２７】
第７の発明は、特に第１〜６のいずれか１つの発明において、リモコンと、室内空気温度センサーと、制御基板を備え、室内機の設定温度と室内空気温度の差に応じて外気用ダンパーと室内空気吸込み用ダンパーの開度を補正することを特徴としたものである。これにより、例えば室内機の設定温度と室内空気温度の差が大きい場合には、外気導入量を設定より減らすといった補正ができる。
【００２８】
第８の発明は、特に第１〜７のいずれか１つの発明において、室内空気温度センサーと、外気温度センサーと、制御基板を備え、室内空気温度と外気温度の差に応じて外気用ダンパーと室内空気吸込み用ダンパーの開度を補正することを特徴としたものである。
【００２９】
これにより、例えば室内空気温度と外気温度の差が大きい場合には、外気導入量を設定より減らすといった補正ができる。
【００３０】
以下、本発明の実施の形態について、図面を参照しながら説明する。なお、この実施の形態によって本発明が限定されるものではない。
【００３１】
（実施の形態１）
図１は本発明の第１の実施の形態における空気調和機の斜視図、図２は制御のブロック図、図３は制御基板の平面図である。
【００３２】
同図において、室内機１０１と、前記室内機１０１の吸込み側に取り付けられた外気導入ユニット１０４から構成されている。そして、前記室内機１０１には、熱交換器１０２、送風機１０３が配備されている。
【００３３】
また、前記外気導入ユニット１０４には、外気導入手段である外気導入口１０５と、室内空気吸込み手段である室内空気吸込み口１０６が設けられている。
【００３４】
そして、前記外気導入口１０５には、外気と連通する外気導入用ダクト１１３が接続され、前記室内空気吸込み口１０６には、室内と通じる吸込みチャンバ、あるいはダクトと吸込みチャンバが接続される。
【００３５】
さらに、前記外気導入口１０５には外気導入量調整手段である外気用ダンパー１０８が
配され、前記室内空気吸込み口１０６には通風抵抗調整手段である室内空気吸込み用ダンパー１０７が、前記室内空気吸込み口１０６の大きさに見合う数だけ配されていて、それぞれ駆動装置１１４により動作するよう構成されている。
【００３６】
また、前記駆動装置１１４は、制御基板１１５と接続され、開度の設定や制御がされる。
【００３７】
以上のように構成された空気調和機について、以下、その動作を説明する。
【００３８】
前記送風機１０３がＯＮになると、室内空気１０９は前記室内空気吸込み口１０６から、外気１１０は前記外気導入口１０５から吸込まれ、フィルター１１２、前記送風機１０３を経て前記熱交換器１０２で冷却あるいは加熱などの処理をされ、吹出し空気１１１となって室内に送られる。
【００３９】
この時、外気導入量は前記外気導入ユニット１０４内の静圧と前記外気導入用ダクト１１３の長さや形状で決まる空気抵抗損失によって決まるので、適量の外気導入を行うには、前記室内空気吸込み用ダンパー１０７を絞り、前記空気吸込み口１０６の通風抵抗を上げて前記外気導入口１０５からの外気導入量を増やすか、前記外気用ダンパー１０８を絞って前記外気導入口１０５からの外気導入量を減らす必要がある。
【００４０】
このように、設置条件や希望外気導入量に合わせて前記室内空気吸込み用ダンパー１０７と前記外気用ダンパー１０８を現地で設定する必要がある。
【００４１】
ここで、本発明の第１の実施の形態における空気調和機は、例えば前記室内空気吸込み用ダンパー１０７と前記外気用ダンパー１０８は、全開の０度から全閉の９０度まで前記駆動装置１１４と前記制御基板１１５で制御できるようになっており、詳細には、図２に示すように、最も前記室内空気１０９の吸込みを確保でき、かつ前記外気１１０が無い状態である設定１から、最も前記外気１１０を導入でき、かつ前記室内空気１０９の吸込みが無い状態である設定７まで設定を設けてある。
【００４２】
この時、設定は図３に示すように前記駆動装置１１４と接続された前記制御基板１１５上のスイッチ１１６で行う。
【００４３】
これにより、外気導入用の送風機を使用することなく十分な換気量を確保することができ、かつ、現地の外気導入用ダクトの空気抵抗損失に合わせて、ダンパーの開度を制御基板上で設定できので、施工時にダンパーを手動で調節する必要がなく、省施工で、適量の外気導入量を確保することができる。
【００４４】
なお、この設定は前記室内空気吸込み用ダンパー１０７と前記外気用ダンパー１０８の設定を別に設けたり、設定ステップを増やしたりしてもよく、また、前記制御基板１１５の機能を前記室内機１０１本体の制御基板に持たせてもよい。
【００４５】
（実施の形態２）
図４は、本発明の第２の実施の形態における空気調和機のリモコンの平面図である。
【００４６】
図４において、リモコン１１７は、前記制御基板１１５と接続されている。
【００４７】
以上のように構成された空気調和機について、以下、その動作を説明する。
【００４８】
前記室内空気吸込み用ダンパー１０７と前記外気用ダンパー１０８の開度設定により、
外気導入用の送風機を使用することなく十分な換気量を確保し、かつ、現地の外気導入用ダクトの空気抵抗損失に合わせて、ダンパーの開度を設定する操作は、前記実施の形態１と基本的に同じである。
【００４９】
しかし、設定を前記制御基板１１５と接続された前記リモコン１１７上でも設定できる構造としたので、さらに省施工で、天井埋め込み型あるいはダクト型の空気調和機に対して特に有効である。
【００５０】
なお、前記リモコン１１７の機能を、前記室内機１０１本体の制御基板に接続した本体リモコンに持たせてもよい。
【００５１】
（実施の形態３）
前記室内空気吸込み用ダンパー１０７と前記外気用ダンパー１０８の開度設定により、外気導入用の送風機を使用することなく十分な換気量を確保し、かつ、現地の外気導入用ダクトの空気抵抗損失に合わせて、ダンパーの開度を設定する操作は、前記実施の形態１〜２と基本的に同じである。
【００５２】
しかし、前記制御基板１１５は、前記送風機１０３のＯＮ、ＯＦＦ状態を検出できる構造とした。
【００５３】
この為、例えば現地の外気導入用ダクトの空気抵抗損失に合わせてダンパーの開度を設定４で使用した場合、前記送風機がＯＮの時にはそのままでよいが、前記送風機がＯＦＦの時まで前記外気用ダンパー１０８を開けていると、余計な外気の侵入経路になってしまう。
【００５４】
このような場合、例えば電動ダンパーのような外気の侵入を防ぐ目的の別機器を設置することが多い。
【００５５】
しかし、前記送風機がＯＦＦの時、前記外気用ダンパー１０８を閉じる、すなわち、ダンパーの開度を設定１に補正することにより、外気の侵入を防ぐことができるので、電動ダンパーのような外気の侵入を防ぐ目的の別機器の設置が省け、室内の空質が維持できる。
【００５６】
（実施の形態４）
前記室内空気吸込み用ダンパー１０７と前記外気用ダンパー１０８の開度設定により、外気導入用の送風機を使用することなく十分な換気量を確保し、かつ、現地の外気導入用ダクトの空気抵抗損失に合わせて、ダンパーの開度を設定する操作は、前記実施の形態１〜３と基本的に同じである。
【００５７】
しかし、前記制御基板１１５は、前記送風機１０３の送風量を検出できる構造とした。
【００５８】
この為、例えば前記送風機１０３が強風の時の送風量に合わせて現地の外気導入用ダクトの空気抵抗損失を算出し、ダンパーの開度を設定４で使用した場合、中風や弱風になると、強風の時と同じ外気導入量が確保できないことになる。
【００５９】
このような場合、例えば中風の時にはダンパーの開度を初期の設定４より１ステップ上げて設定５、さらに弱風の時にはもう１ステップ上げて設定６といった具合に補正することにより、送風量に関わらず、適量の外気導入量が確保できる。
【００６０】
（実施の形態５）
前記室内空気吸込み用ダンパー１０７と前記外気用ダンパー１０８の開度設定により、外気導入用の送風機を使用することなく十分な換気量を確保し、かつ、現地の外気導入用ダクトの空気抵抗損失に合わせて、ダンパーの開度を設定する操作は、前記実施の形態１〜４と基本的に同じである。
【００６１】
しかし、前記制御基板１１５は、前記室内機１０１の冷房、暖房、送風等の運転モードを検出できる構造とした。
【００６２】
この為、例えば冷房の時に必要な外気導入量に合わせてダンパーの開度を設定した場合、圧縮機が運転していない送風時にまで冷房時と同じ外気導入量を取ると室内の熱が逃げたり、また、室内と室外の温度差が大きい暖房時にまで冷房時と同じ外気導入量を取ると室内の熱が逃げたり、地域や条件によっては、この逆も起こるので、運転モードに応じたダンパーの開度設定の補正が必要になる。
【００６３】
このような場合、例えば冷房の時に必要な外気導入量に合わせてダンパーの開度を設定４で使用した場合、圧縮機が運転していない送風時には前記外気用ダンパー１０８を閉じる、すなわち、ダンパーの開度を設定１に補正し、室内と室外の温度差が大きい暖房時には設定４より１ステップ下げて設定３にして外気導入量を減らすといった具合に補正することにより、換気による熱ロスを減らし、効率の良い空気調和と外気導入を行うことができる。
【００６４】
（実施の形態６）
前記室内空気吸込み用ダンパー１０７と前記外気用ダンパー１０８の開度設定により、外気導入用の送風機を使用することなく十分な換気量を確保し、かつ、現地の外気導入用ダクトの空気抵抗損失に合わせて、ダンパーの開度を設定する操作は、前記実施の形態１〜５と基本的に同じである。
【００６５】
しかし、前記制御基板１１５は、前記室内機１０１のサーモＯＮ、ＯＦＦ状態を検出できる構造とした。
【００６６】
この為、例えば冷房、暖房、送風など、運転モードに応じてダンパーの開度を設定しても、冷房や暖房のサーモＯＦＦ時で圧縮機が運転していない時は送風と同じく、初期の設定のまま外気導入量を取ると室内の熱が逃げてしまう。
【００６７】
このような場合、例えば冷房でサーモＯＮの時に必要な外気導入量に合わせてダンパーの開度を設定４で使用した場合、圧縮機が運転していないサーモＯＦＦ時には設定４より１ステップ下げて設定３にして外気導入量を減らすといった具合に補正することにより、換気による熱ロスを減らし、効率の良い空気調和と外気導入を行うことができる。
【００６８】
（実施の形態７）
図５は、本発明の第７の実施の形態における空気調和機の斜視図である。
【００６９】
図５において、室内空気温度センサー１１８は前記室内空気吸込み口１０６の近傍に取り付けてあり、前記室内空気１０９の温度を検知できる構造となっている。また、前記室内空気温度センサー１１８は前記制御基板１１５と接続されている。
【００７０】
以上のように構成された空気調和機について、以下、その動作を説明する。
【００７１】
前記室内空気吸込み用ダンパー１０７と前記外気用ダンパー１０８の開度設定により、外気導入用の送風機を使用することなく十分な換気量を確保し、かつ、現地の外気導入用
ダクトの空気抵抗損失に合わせて、ダンパーの開度を設定する操作は、前記実施の形態１〜６と基本的に同じである。
【００７２】
しかし、前記制御基板１１５は、前記室内機１０１の設定温度と室内空気温度の差に応じて前記室内空気吸込み用ダンパー１０７と前記外気用ダンパー１０８の開度を補正する構造とした。この為、例えば設定温度と室内空気温度の差が所定範囲内、すなわち室内空調負荷と空気調和機の能力がバランスした状態に合わせて希望外気導入量を算出し、ダンパーの開度を設定した場合、立ち上がり時など空調負荷が大きい時にまで同じ外気導入量を取ると、設定温度に到達するまでの時間が遅くなる。このような場合、例えば室内空調負荷と空調調和機の能力がバランスした状態に合わせて希望外気導入量を算出し、ダンパーの開度を設定４で使用した場合、前記リモコン１１７で設定した前記室内機１０１の設定温度と前記室内空気温度センサー１１８で検出した室内空気温度の差が所定値以上の場合、設定４より１ステップ下げて設定３にして外気導入量を減らし、差が所定値以内に収まった場合、設定３を設定４に戻すといった具合に補正することにより、換気による熱ロスを減らし、効率の良い空気調和と外気導入を行うことができる。
【００７３】
なお、この機能を、前記室内機１０１本体の制御基板と室内空気温度センサーを利用して行ってもよい。
【００７４】
（実施の形態８）
図６は、本発明の第８の実施の形態における空気調和機の斜視図である。
【００７５】
図６において、外気温度センサー１１９は前記外気導入口１０５の近傍に取り付けてあり、前記外気１１０の温度を検知できる構造となっている。
【００７６】
また、前記外気温度センサー１１９は前記制御基板１１５と接続されている。
【００７７】
以上のように構成された空気調和機について、以下、その動作を説明する。
【００７８】
前記室内空気吸込み用ダンパー１０７と前記外気用ダンパー１０８の開度設定により、外気導入用の送風機を使用することなく十分な換気量を確保し、かつ、現地の外気導入用ダクトの空気抵抗損失に合わせて、ダンパーの開度を設定する操作は、前記実施の形態１〜７と基本的に同じである。
【００７９】
しかし、前記制御基板１１５は、室内空気温度と外気温度の差に応じて前記室内空気吸込み用ダンパー１０７と前記外気用ダンパー１０８の開度を補正する構造とした。
【００８０】
この為、例えば室内空気温度と外気温度の差が所定範囲内、すなわち室内空調負荷と空気調和機の能力がバランスした状態に合わせて希望外気導入量を算出し、ダンパーの開度を設定した場合、冷房時に室外温度が高かったり、逆に暖房時に低かったりした時にまで同じ外気導入量を取ると、空気調和機の能力が不足する可能性がある。
【００８１】
このような場合、例えば室内空気温度と外気温度の差が所定範囲内の室内空調負荷と空調調和機の能力がバランスした状態に合わせて希望外気導入量を算出し、ダンパーの開度を設定４で使用した場合、前記室内空気温度センサー１１８で検出した室内空気温度と前記外気温度センサー１１９で検出した室外温度の差が所定値以上の場合、設定４より１ステップ下げて設定３にして外気導入量を減らし、差が所定値以内に収まった場合、設定３を設定４に戻すといった具合に補正することにより、換気による熱ロスを減らし、効率の良い空気調和と外気導入を行うことができる。
【００８２】
なお、この機能を、前記室内機１０１本体の制御基板と室外温度センサーを利用して行ってもよい。
【産業上の利用可能性】
【００８３】
本発明の空気調和機は、専用の送風機を用いることなく外気導入を行うことを可能にするものであって、天井埋め込み型あるいはダクト型の空気調和機に対して特に有効なものであるが、外気導入用のダクトが短い場合に限っては壁掛型や床置き型などの送風機の静圧が低い空気調和機にも適用できる。
【図面の簡単な説明】
【００８４】
【図１】本発明の実施の形態１における空気調和機の斜視図
【図２】本発明の実施の形態１における空気調和機の制御のブロック図
【図３】本発明の実施の形態１における空気調和機の制御基板の平面図
【図４】本発明の実施の形態２における空気調和機のリモコンの平面図
【図５】本発明の実施の形態７における空気調和機の斜視図
【図６】本発明の実施の形態８における空気調和機の斜視図
【図７】従来の空気調和機の断面図
【符号の説明】
【００８５】
１０１  室内機
１０２  熱交換器
１０３  送風機
１０５  外気導入口
１０６  室内空気吸込み口
１０７  室内空気吸込み用ダンパー
１０８  外気用ダンパー
１１４  ダンパー駆動装置
１１５  制御基板
１１７  リモコン
１１８  室内空気温度センサー
１１９  外気温度センサー
【図１】
2006242492.tif 000003
【図２】
2006242492.tif 000004
【図３】
2006242492.tif 000005
【図４】
2006242492.tif 000006
【図５】
2006242492.tif 000007
【図６】
2006242492.tif 000008
【図７】
2006242492.tif 000009